(57)【要約】【課題】本発明はパーソナルコンピュータ（ＰＣ）等のホスト機器に接続され、プリンタドライバを使用しない印刷装置に関し、特にプリンタドライバを使用することなく、ホスト機器によって作成された印刷データを印刷し、利便性がよく、プリンタドライバのインストール等の作業が不用な印刷装置を提供するものである。【解決手段】本発明はプリンタドライバを使用することなく、ホスト機器１のアプリケーションプログラムに従って作成されたＸＰＳ文書形式の印刷データを印刷装置２に送信し、文書格納フォルダ１４に格納する。印刷処理を指示する場合には、ホスト機器１のディスプレイに文書格納フォルダ１４、及び文書印刷用フォルダ１５を表示し、文書格納フォルダ１４内の文書ファイル（印刷データ）を文書印刷用フォルダ１５内にドラッグ＆ドロップすることによって印刷指示を行うことができる。【選択図】  図１
2008052457.tif 000002
【特許請求の範囲】
【請求項１】
ＸＰＳ文書形式の印刷データの作成を行うホスト機器と、前記ＸＰＳ文書形式の印刷データの印刷を行う印刷装置と、記憶装置とをネットワークによって接続した印刷システムであって、
前記ホスト機器は、前記記憶装置に記憶された文書格納フォルダと文書印刷用フォルダを表示する表示手段と、
前記文書格納フォルダ内のＸＰＳ文書形式の印刷データを前記文書印刷用フォルダに移動させることによって前記印刷装置に前記印刷データの印刷指示を行う印刷指示手段と、を有し、
前記印刷装置は、前記印刷指示に従って前記印刷データの印刷処理を行う印刷処理手段を有することを特徴とする印刷システム。
【請求項２】
前記ＸＰＳ文書形式の印刷データを格納する文書格納フォルダ、及び文書印刷用フォルダを記憶する記憶装置は、前記印刷装置に直接接続されていることを特徴とする請求項１記載の印刷システム。
【請求項３】
前記印刷データの文書格納フォルダから前記文書印刷用フォルダへの移動は、ホスト機器に接続されたマウスによって行うことを特徴とする請求項１、又は２記載の印刷システム。
【請求項４】
前記印刷装置には、ＸＰＳ文書形式の印刷データを記憶した可搬型記録媒体から該印刷データを読み取る読取手段が設けられ、該読取手段によって前記可搬型記録媒体から読み取られた印刷データの印刷を前記印刷処理手段が行うことを特徴とする請求項１、２、又は３記載の印刷システム。
【請求項５】
前記印刷装置は複合機であることを特徴とする請求項１、２、３、又は４記載の印刷システム。
【請求項６】
ＸＰＳ文書形式の印刷データの作成を行うホスト機器と、前記ＸＰＳ文書形式の印刷データの印刷を行う印刷装置と、記憶装置とをネットワークによって接続した印刷システムにおいて、
前記ホスト機器は、前記記憶装置に記憶された文書格納フォルダと文書印刷用フォルダを表示する処理と、
前記文書格納フォルダ内のＸＰＳ文書形式の印刷データを前記文書印刷用フォルダに移動させることによって前記印刷装置に前記印刷データの印刷指示を行う処理と、を行い、
前記印刷装置は、前記印刷指示に従って前記印刷データの印刷処理を行うことを特徴とする印刷方法。
【請求項７】
ＸＰＳ文書形式の印刷データを記憶した可搬型記録媒体から該印刷データを読み取る読取手段と、
該読取手段によって前記可搬型記録媒体から読み取った印刷データの印刷処理を行う印刷処理手段と、
を備えることを特徴とする印刷装置。
【発明の詳細な説明】
【技術分野】
【０００１】
本発明はパーソナルコンピュータ（ＰＣ）等のホスト機器に接続され、プリンタドライバを使用しない印刷装置、及び印刷システムに関する。
【背景技術】
【０００２】
近年、新しいＯＳ（operating system）が導入されたパーソナルコンピュータ（ＰＣ）が話題をよんでいる。このコンピュータは、新たなユーザ エクスペリエンスを導入し、情報の表示、検索、整理やコンピューティング環境の制御を確実に行えるように設計されている。例えば、印刷サブシステムが組み込まれた通信テクノロジにより、プリントジョブの設定方法を適切に認識でき、より効率的な印刷データの送信処理を行うことができる構成である。
【０００３】
また、新しいツールにより、コンピュータ上の情報が把握し易く、ファイルを開かずに内容を参照し、またアプリケーションやファイルを短時間で検索することができる。例えば、既にインストールされた全てのアプリケーションを簡単に選択し、起動することが可能である。
【０００４】
一方、特許文献１は画像処理を行う際、コントローラの負担を軽減するため、ビットマップイメージに展開するための中間データを複数作成する中間データ作成手段を設け、更に管理テーブルによって上記中間データの作成状況を管理し、ビットマップイメージの展開処理を行う発明である。
【特許文献１】特開２００４−３８５２７号公報
【発明の開示】
【発明が解決しようとする課題】
【０００５】
しかしながら、上記特許文献１の発明は、ホスト機器側にプリンタドライバが必要であり、予めホスト機器側にプリンタドライバをインストールしておく必要がある。また、印刷を行うホスト機器のプリンタドライバのバージョンに相違があると、印刷結果が異なり、目的の印刷結果を得ることができない。
【０００６】
そこで本発明は、プリンタドライバを使用することなく、ホスト機器によって作成された印刷データを印刷し、効率のよい印刷ができ、プリンタドライバのインストール等の作業が不要な印刷装置、及び印刷システムを提供するものである。
【課題を解決するための手段】
【０００７】
本発明は上記課題を解決するため、ＸＰＳ文書形式の印刷データの作成を行うホスト機器と、ＸＰＳ文書形式の印刷データの印刷を行う印刷装置と、記憶装置とをネットワークによって接続した印刷システムであって、前記ホスト機器は、前記記憶装置に記憶された文書格納フォルダと文書印刷用フォルダを表示する表示手段と、前記文書格納フォルダ内のＸＰＳ文書形式の印刷データを前記文書印刷用フォルダに移動させることによって前記印刷装置に前記印刷データの印刷指示を行う印刷指示手段とを有し、前記印刷装置は、前記印刷指示に従って前記印刷データの印刷処理を行う印刷処理手段を有する印刷システムを提供することによって達成できる。
【０００８】
このように構成することにより、印刷装置はＸＰＳ文書形式の印刷データを直接印刷処理し、プリンタドライバを使用することなく、ホスト機器によって作成された印刷データの印刷出力を行うことができる。
【０００９】
また、前記ＸＰＳ文書形式の印刷データを格納する文書格納フォルダ、及び文書印刷用フォルダを記憶する記憶装置は、例えば前記印刷装置に接続されている構成である。
このように構成することにより、印刷装置に直結した記憶装置から印刷データの供給を受けることができ、より高速な印刷処理を行うことができる。
【００１０】
また、前記印刷データの文書格納フォルダから前記文書印刷用フォルダへの移動は、例えばホスト機器に接続されたマウスによって行う構成である。このように構成することにより、より簡単に文書格納フォルダから印刷データ（印刷ファイル）の指定を行うことができる。
【００１１】
また、前記印刷装置には、ＸＰＳ文書形式の印刷データを記憶した記録媒体から該印刷データを読み取る読取手段が設けられ、該読取手段によって前記記録媒体から読み取られた印刷データの印刷を前記印刷処理手段が行う構成である。このように構成することにより、他のコンピュータ（ＰＣ）等、印刷データ作成装置によって作成されたＸＰＳ文書形式の印刷データをＵＳＢメモリやカード媒体等の記録媒体に記録した印刷データも読み出して印刷処理を行うことができる。
【００１２】
さらに、本発明は上記課題を解決するため、ＸＰＳ文書形式の印刷データを記憶した記録媒体から該印刷データを読み取る読取手段と、該読取手段によって前記記録媒体から読み取った印刷データの印刷を行う印刷処理手段とを有する印刷装置を提供することによって達成できる。
【００１３】
このように構成することによっても、印刷装置はＸＰＳ文書形式の印刷データを直接印刷処理し、プリンタドライバを使用することなく、印刷装置に記録媒体を装着することによって印刷データの印刷出力を行うことができる。
【発明の効果】
【００１４】
上記課題の解決手段によれば、印刷装置はＸＰＳ文書形式の印刷データを直接印刷処理し、プリンタドライバを使用することなく、ホスト機器によって作成された印刷データの印刷出力を行うことができる。
【００１５】
また、印刷装置に記録媒体を直接装着し、記録媒体からＸＰＳ文書形式の印刷データを読み取ることによっても、プリンタドライバを使用することなく、印刷データの印刷出力を行うことができる。
【発明を実施するための最良の形態】
【００１６】
以下、図面を参照しながら本発明の実施の形態について説明する。
（実施形態１）
図１は本発明の印刷装置を使用した印刷システムのシステム構成図である。同図において、ホスト機器１であるパーソナルコンピュータ（ＰＣ）と印刷装置２はＬＡＮ等のネットワークを介して接続されている。ホスト機器１には印刷文書を作成するアプリケーションプログラムや、ブラウザソフト、エクスプローラ等のプログラムがインストールされている。
【００１７】
また、独自でタグの定義を行い、作成するＸＭＬ（extensible markup language）文書を米国Microsoft社が開発した文書・印刷形式であるＸＰＳ（ＸＭＬ Paper Specification）の印刷フォーマットに変換し、印刷データを作成するプログラムも搭載されている。尚、上記ＸＰＳの印刷フォーマットに変換されたＸＰＳ文書（印刷データ）は電子化文書であり、スプールファイルでもあり、ページ記述言語でもある。
【００１８】
図２は、印刷装置２の構成を示す図である。同図において、印刷装置２はＣＰＵ３、ＲＯＭ４、ＲＡＭ５、タイマ６、不揮発性メモリ７、及び各種インターフェイスで構成されている。ＣＰＵ３はＲＯＭ４に記憶したプログラムに従って印刷処理を行い、ＲＡＭ５を例えばワークエリアとして使用し、印刷制御を行う。例えば、後述するユーザ認証情報を一旦書き込むエリアとして使用される。
【００１９】
また、ホストインターフェイス（以下、ホストＩ／Ｆで示す）８には、ＵＳＢ等のインターフェイスが接続され、ＮＩＣ(network interface card)Ｉ／Ｆ９には前述のネットワークが接続される。また、ビデオＩ／Ｆ１０は、ビデオデータの入出力制御を行う。また、エンジンＩ／Ｆ１１は、エンジン部との間で制御信号の授受を行う。
【００２０】
さらに、印刷装置２には外部記憶装置接続Ｉ／Ｆ１２を介して外部記憶装置１３が接続されている。印刷装置２は前述のホスト機器１から上記ＸＰＳ文書形式の印刷データを受信し、外部記憶装置１３に記憶する。また、外部記憶装置１３から印刷データを読み出してホスト機器１に出力する。
【００２１】
この外部記憶装置１３は、ネットワーク上にある所謂ファイルサーバであり、上記ＸＰＳ文書形式の印刷データを記憶する。具体的には、外部記憶装置１３内に作成した文書格納フォルダ１４及び文書印刷用フォルダ１５に格納される。
【００２２】
次に、本例の処理を説明する。
図３は印刷装置２内のソフトウエアの概略ブロック図である。先ず、印刷装置１に電源を投入すると、ＣＰＵ３は初期化処理を行う（図３に示すａ）。この初期化処理を具体的に説明する図が、図４に示すフローチャートである。先ず、不揮発性メモリ７に登録されたユーザ認証情報を読み出し、ＲＡＭ５にユーザ認証情報を設定する（ステップ（以下、Ｓで示す）１、２）。この時、後述するＲＡＭ５内のユーザ認証済みフラグを未認証状態とする。
【００２３】
次に、ＨＴＴＰサーバ、共有フォルダ管理処理、印刷制御管理を順次起動する（Ｓ３、Ｓ４、Ｓ５、図３に示すｂ、ｃ、ｄ）。
尚、上記処理の前提として不揮発性メモリ７にユーザ認証情報が予め登録されている必要があり、以下の処理によって登録処理が行われている。図５はＨＴＴＰサーバの処理を説明するフローチャートであり、ＨＴＴＰサーバの処理によってユーザ認証情報が不揮発性メモリ７に予め登録される。
【００２４】
すなわち、ＨＴＴＰサーバが接続待ち状態から（ステップ（以下、ＳＴＰで示す）１）、入力があると、ユーザ認証情報の設定があるか判断する（ＳＴＰ２）。例えば、ホスト機器１からアクセスがあり、ユーザ認証情報の設定要求であれば（ＳＴＰ２がＹes）、ホスト機器１から送出されたユーザ名とパスワードの情報を印刷装置２に出力する（図３に示すｅ）。印刷装置２に供給されたユーザ名とパスワードの情報はＲＡＭ５を介して不揮発性メモリ７に書き込まれ、ユーザ認証情報の設定登録が行われる（ＳＴＰ３、ＳＴＰ４）。尚、ユーザ認証情報の設定がない場合（ＳＴＰ２がＮo）、ユーザ認証設定用のＨＴＭＬを接続先のホストコンピュータに送信する（ＳＴＰ５）。
【００２５】
図６は、上記ユーザ認証情報の設定登録の際にホスト機器１のディスプレイに表示されるユーザ認証設定画面である。ユーザはユーザ名とパスワードの入力を行い、設定ボタン１７を指示することによって、入力したユーザ名とパスワードの情報が上記のように印刷装置２に送信され、前述のように不揮発性メモリ７に登録される。
【００２６】
また、図７は不揮発性メモリ７内に登録されたユーザ認証情報の例である。また、図８はＲＡＭ５に書き込まれたユーザ認証情報の例である。ユーザ名とパスワードの情報と共に、認証済みフラグが設定され、既に認証済みである場合「１」がセットされ、認証済みでなければ「０」がセットされる。尚、前述のように、初期時未認証状態「０」にセットされている。
【００２７】
次に、上記不揮発性メモリ７へのユーザ認証情報の登録を行われ、前述の初期化処理が終了すると、本例の具体的な処理が開始される。
図９は、共有フォルダ管理処理を説明するフローチャートである。
【００２８】
先ず、外部記憶装置１３内の文書格納フォルダ１４、及び文書印刷用フォルダ１５をネットワーク上の共有フォルダとしてネットワーク上に出力する（Ｓ６）。すなわち、ＣＰＵ３は外部記憶装置接続Ｉ／Ｆ１２を介して外部記憶装置１３から文書格納フォルダ１４と文書印刷用フォルダ１５をネットワーク上にエクスポートし、ホスト機器１側のブラウザやエクスプローラのプログラムによってホスト機器１のディスプレイに表示できる状態とする。
【００２９】
その後、事象待ちとなり（Ｓ７）、ホスト機器１によるネットワーク上の共有フォルダのアクセス等の事象の発生を待つ。例えば、文書格納フォルダに印刷データを書き込むためのアクセス等の事象の発生を待つ。
【００３０】
次に、事象が発生すると、先ず既にユーザ認証済みであるか判断する（Ｓ８）。ここで、未だユーザ認証済みでなければ（Ｓ８がＮo）、ユーザ認証処理を行う（Ｓ９）。この処理はホスト機器１のディスプレイにユーザ認証用の画面を表示し、ユーザ名とパスワードの情報を入力することによって行う。図１０は上記ユーザ認証画面であり、ユーザ名とパスワードを入力した後、ＯＫボタン１８を指定することによって、ＨＴＴＰサーバからユーザ認証情報が印刷装置２のＲＡＭ５に送られ、不揮発性メモリ７から読み出したユーザ認証情報との一致を判断し、一致すれば認証ＯＫとなり（Ｓ１０がＹes）、以後共有フォルダ（文書格納フォルダ１４及び文書印刷用フォルダ１５）へのアクセスが可能となる。また、前述のＲＡＭ５のフラグエリアに認証済みを示す「１」を設定する（Ｓ１１）。
【００３１】
一方、ユーザ認証済みであれば（Ｓ８がＹes）、事象に従って対応する処理を行う（Ｓ１２）。先ず、文書ファイルの読み出し処理であれば、前述の文書格納フォルダ１４から指定された文書ファイルを読み出してホスト機器１に送信する（Ｓ１３）。例えば、ホスト機器１のディスプレイに表示された文書格納フォルダ１４を開き、追記が必要な文書ファイルがある場合等において当該文書ファイル（印刷データ）を読み出す場合である。この場合、ディスプレイ上に表示された文書格納フォルダ１４内の文書ファイルをホスト機器のデスクトップにドラッグ＆ドロップすることによって実行することができる。この場合、上記処理によって印刷装置２からホスト機器１に指定された印刷データが転送され、ホスト機器１の、例えばＲＡＭに取り込まれる。
【００３２】
次に、ユーザの指示が文書ファイルの書き込みであれば、以下の処理を行う。例えば、ホスト機器１のアプリケーションを使用して作成した文書ファイル（ＸＰＳ文書形式の印刷データ）を外部記憶装置１３の文書格納フォルダ１４に書き込む場合、ディスプレイ上で作成した印刷データを文書格納フォルダ１４にドラッグ＆ドロップすることによって実行する。この場合、上記処理によってホスト機器１から印刷装置２に印刷データが転送され、外部記憶装置１３の文書格納フォルダ１４内に格納される（Ｓ１４）。
【００３３】
さらに、文書ファイルの印刷指示であれば、印刷制御処理に該当文書ファイルの印刷要求を行う（Ｓ１５）。図１１はこの処理を説明する図であり、同図（ａ）に示す文書格納フォルダ１４及び文書印刷用フォルダ１５の表示画面から、ユーザの操作によって同図（ｂ）に示す文書格納フォルダ１４を開き、同図（ｂ）に示す画面を表示する。さらに、ユーザの操作によって同図（ｃ）に示す文書印刷用フォルダ１５を開く。
【００３４】
この状態において、マウス等を操作し、文書格納フォルダ１４内に表示された文書ファイル（TEST文書.xps）を、文書印刷用フォルダ１５内にドラッグ＆ドロップする。この処理によって、文書印刷用フォルダ１５内の指定された文書ファイル（印刷データ）はビデオＩ／Ｆ１１を介してプリンタエンジン（印字ヘッド）に送信される。
【００３５】
図１２は、印刷制御処理を説明するフローチャートである。先ず、印刷要求を待ち（ステップ（以下、ＳＴで示す）１）、前述のユーザが行ったドラッグ＆ドロップ処理によって、印刷指示が印刷装置２に送られると印刷処理が開始される。先ず、印刷要求ファイルの１ページ分の描画情報を解析し（ＳＴ２）、例えばビットマップデータに変換して例えばＲＡＭ５に描画し（ＳＴ３）、１ページ分の描画データをビデオＩ／Ｆ１１を介してプリンタエンジン（印字ヘッド）に送信する（ＳＴ４）。
【００３６】
以後、上記処理を繰り返し（ＳＴ５がＮo）、全ページの描画データをビデオＩ／Ｆ１１を介して印字ヘッドに送信し、印刷処理を行う。その後、全ページの描画データをビデオＩ／Ｆ１１を介して印字ヘッドに送信し、印刷処理が完了する（ＳＴ５がＹes）。
【００３７】
以上のように、本例によれば印刷装置２からの文書ファイル（印刷データ）の読み出し、印刷装置２への文書ファイル（印刷データ）の書き込み、更に文書ファイル（印刷データ）の印刷指示をホスト機器１のディスプレイに表示される画像を操作し、ドラッグ＆ドロップの操作によって簡単に指示することができる。
【００３８】
したがって、従来のようにプリンタドライバを必要とすることなく、簡単な操作によって印刷処理を実行することができる。
（実施形態２）
次に、本発明の実施形態２について説明する。
【００３９】
本例はＸＰＳ文書形式の印刷データが記録された記録媒体を印刷装置２に装着し、記録媒体から印刷データを読み出して印刷処理を行うものである。以下、具体的に説明する。
図１３は本例で使用する印刷装置の外観図である。尚、同図には表示操作部に設けられたディスプレイの表示画面の例も示す。
【００４０】
本例で使用する印刷装置は、複合機（以下、ＭＦＰ（多機能印刷装置・マルチファンクションプリンタ）で示す）２０であり、印刷機能の他、スキャナ機能、複写機能等の処理機能を持つ。ＭＦＰ２０の前面上部には表示操作部（オペレーションパネル）２１が位置し、印刷枚数の設定や濃度設定、サイズ設定等の各種設定指示、及び後述する表示を行う。また、ＭＦＰ２０の前面下部には複数段の給紙カセット２２が設けられ、対応する取手を持って給紙カセット２２を手前に引き出すことができる。また、ＭＦＰ２０には排紙部２３も設けられ、給紙カセット２２から給紙され、画像形成が行われた用紙（記録媒体）は排紙部２３に出力される。尚、同図に示す２４はスキャナ部である。
【００４１】
また、ＭＦＰ２０の側面には、記録媒体としてＵＳＢメモリ２５の装着部２６が設けられている。ＵＳＢメモリ２５にはＸＰＳ文書形式の印刷データが記憶されており、ＵＳＢメモリ２５から印刷データを読み出す。
【００４２】
以下、本例の処理を説明する。先ず、ＸＰＳ文書形式の印刷データを記録するＵＳＢメモリ２５をＭＦＰ２０側面の装着部２６に装着する。ＭＦＰ２０は上記ＵＳＢメモリ２５の装着を自動認識し、ＵＳＢメモリ２５に記録された文書ファイル（印刷データ）を読み出す。
【００４３】
次に、表示操作部（オペレーションパネル）２１の表示状態を同図に示すＡの状態からＢの状態に切り替える。例えば、通常のパネル表示「印刷できます」の状態から、ＵＳＢメモリ２５から読み出した文書ファイル（印刷データ）の表示状態に移行する。
【００４４】
次に、ユーザは上記表示から印刷を希望する文書ファイルを選択する。例えば、ユーザは表示操作部（オペレーションパネル）２１のボタン操作を行い、印刷を希望する文書ファイルを選択する。そして、表示操作部（オペレーションパネル）２１を操作して印刷の指示を行うと、以後印刷処理が実行される。
【００４５】
以上のように、本例によればＸＰＳ文書形式の印刷データを記録したＵＳＢメモリ２５をＭＦＰ２０に装着することによって希望する文書ファイル（印刷データ）の印刷処理を行うことができる。
【００４６】
したがって、本例によればプリンタドライバのみならず、ホスト機器の接続も行うことなく、ＭＦＰ２０によってＸＰＳ文書形式の印刷データの印刷処理を行うことができる。尚、ＭＦＰ２０に装着する記録媒体はＵＳＢメモリ２５に限らず、ＰＣカードやＣＦカード等の各種可搬型記録媒体を適用することができる。
【００４７】
また、本例において、印刷装置としてＭＦＰ２０を使用して説明したが、前述の実施形態１の印刷装置を使用する構成としてもよい。また、ＵＳＢメモリ２５等の可搬型記録媒体へのＸＰＳ文書形式の印刷データの書き込みは、パーソナルコンピュータ（ＰＣ）や、ワープロ装置等、各種装置を使用して書き込み処理を行うことができる。
【００４８】
さらに、外部記憶装置１３は、印刷装置２に直接接続された構成である必要はなく、例えばネットワーク上に接続される構成であってもよい。
【図面の簡単な説明】
【００４９】
【図１】本発明の印刷装置を使用した印刷システムのシステム構成図である。
【図２】印刷装置の構成を示す図である。
【図３】印刷装置内のソフトウエアの概略ブロック図である。
【図４】初期化処理を具体的に説明するフローチャートである。
【図５】ＨＴＴＰサーバの処理を説明するフローチャートである。
【図６】ユーザ認証情報の設定登録の際にホスト機器のディスプレイに表示されるユーザ認証設定画面例を示す図である。
【図７】不揮発性メモリ内に登録されたユーザ認証情報例を示す図である。
【図８】ＲＡＭに書き込まれたユーザ認証情報例を示す図である。
【図９】共有フォルダ管理処理を説明するフローチャートである。
【図１０】認証画面例である。
【図１１】印刷要求処理を説明する図である。
【図１２】印刷処理を説明するフローチャートである。
【図１３】実施形態２を説明するＭＦＰ、及びＭＦＰの表示画面例である。
【符号の説明】
【００５０】
１・・・ホスト機器
２・・・印刷装置
３・・・ＣＰＵ
４・・・ＲＯＭ
５・・・ＲＡＭ
６・・・タイマ
７・・・不揮発性メモリ
８・・・ホストＩ／Ｆ
９・・・ＮＩＣＩ／Ｆ
１０・・ビデオＩ／Ｆ
１１・・エンジンＩ／Ｆ
１２・・外部記憶装置接続Ｉ／Ｆ
１３・・外部記憶装置
１４・・文書格納フォルダ
１５・・文書印刷用フォルダ
１７・・設定ボタン
１８・・ＯＫボタン
２０・・ＭＦＰ
２１・・表示操作部
２２・・給紙カセット
２３・・排紙部
２４・・スキャナ部
２５・・ＵＳＢメモリ
２６・・装着部
【図２】
2008052457.tif 000003
【図３】
2008052457.tif 000004
【図４】
2008052457.tif 000005
【図５】
2008052457.tif 000006
【図７】
2008052457.tif 000007
【図８】
2008052457.tif 000008
【図９】
2008052457.tif 000009
【図１２】
2008052457.tif 000010
【図１】
2008052457.tif 000011
【図６】
2008052457.tif 000012
【図１０】
2008052457.tif 000013
【図１１】
2008052457.tif 000014
【図１３】
2008052457.tif 000015